(57)【要約】      （修正有）【課題】１人で楽しむだけでなく、多くの人が楽しむことができる麺流し器を提供する。【解決手段】レーン２Ａ、２Ｂから落下してくる麺を受け入れる麺受け部と、水を収容する本体容器１０と、水を循環させるためのポンプと、を備えた麺流し器であって、上方から下方へと水と共に麺を落下させるレーン２Ａ、２Ｂを複数レーン又は単独レーンに設定することができ、ポンプにより水をレーン２Ａ、２Ｂの上方へ導くホース７を備え、ホース７は、複数レーンに対応した第１接続態様と、単独レーンに対応した第２接続態様とに設定変更可能である。【選択図】図１
0003231881.tif 000002
【実用新案登録請求の範囲】
【請求項１】
レーンから落下してくる麺を受け入れる麺受け部と、水を収容する水収容部と、水を循環させるためのポンプと、を備えた麺流し器であって、
上方から下方へと水と共に麺を落下させる前記レーンを複数レーン又は単独レーンに設定することができ、
前記ポンプにより水を前記レーンの上方へ導く水案内部を備え、
前記水案内部は、前記複数レーンに対応した第１接続態様と、前記単独レーンに対応した第２接続態様とに設定変更可能であることを特徴とする麺流し器。
【請求項２】
前記ポンプにより吸い上げた水を導出する第１導出部と第２導出部とを備え、
前記第１接続態様では、第１導出部と第２導出部からそれぞれ個別に前記レーンの上方へ水を導く水案内部が前記レーンの数だけ設けられ、
前記第２接続態様では、第１導出部と第２導出部の水路を連結して１つの導出部にする水路アダプターと、この水路アダプターに接続される１つの水案内部により前記レーンの上方へ水を導くように構成したことを特徴とする請求項１に記載の麺流し器。
【請求項３】
前記レーンは、複数のレーン部材により構成され、前記レーン部材同士を連結するための第１レーンアダプタを備えており、レーン部材どうしが相対的に可動に構成したことを特徴とする請求項１又は２に記載の麺流し器。
【請求項４】
前記第１レーンアダプタにより、相対的に水平面内、及び／又は、垂直面内で回動可能に構成したことを特徴とする請求項３に記載の麺流し器。
【請求項５】
前記第１レーンアダプタは、前記レーンに対して着脱自在であることを特徴とする請求項３又は４に記載の麺流し器。
【請求項６】
前記レーンを支える柱部を備え、この柱部は着脱自在な複数の柱部材により構成され、連結する柱部材の個数により、柱部の高さが可変であることを特徴とする請求項１〜５のいずれか１項に記載の麺流し器。
【請求項７】
前記レーンを支える柱部を備え、この柱部と前記レーンを連結するための第２レーンアダプタを備えており、前記レーンを前記柱部に対して可動に構成したことを特徴とする請求項１〜５のいずれか１項に記載の麺流し器。
【請求項８】
前記第２レーンアダプタは、前記レーン及び前記柱部に対して着脱自在であることを特徴とする請求項７に記載の麺流し器。
【考案の詳細な説明】
【技術分野】
【０００１】
本考案は、レーンから落下してくる麺を受け入れる麺受け部と、水を収容する水収容部と、水を循環させるためのポンプと、を備えた麺流し器に関する。
【背景技術】
【０００２】
かかる麺流し器として、下記特許文献１に開示される麺流し器がある。この麺流し器は、上部に配置される麺セット部と、下部に配置される麺受け入れ部と、麺セット部から放出された麺を、麺受け入れ部まで落下させる螺旋状の経路を有する螺旋樋（レーン）と、麺受け入れ部内の水をポンプにより吸い上げて上部に移送する水移送部と、を備えている。
【先行技術文献】
【特許文献】
【０００３】
【特許文献１】実用新案登録３２１５００１号
【考案の概要】
【考案が解決しようとする課題】
【０００４】
上記の麺流し器は、螺旋桶（レーン）が１つだけ設けられており、位置も固定されている。かかる麺流し器を用いて、例えば、流しそうめんを家族で楽しむ場合には、レーンが１つしかないため限界があった。
【０００５】
本考案は上記実情に鑑みてなされたものであり、その課題は、１人で楽しむだけでなく、多くの人が楽しむことができる麺流し器を提供することである。
【課題を解決するための手段】
【０００６】
上記課題を解決するため本考案に係る麺流し器は、
レーンから落下してくる麺を受け入れる麺受け部と、水を収容する水収容部と、水を循環させるためのポンプと、を備えた麺流し器であって、
上方から下方へと水と共に麺を落下させる前記レーンを複数レーン又は単独レーンに設定することができ、
前記ポンプにより水を前記レーンの上方へ導く水案内部を備え、
前記水案内部は、前記複数レーンに対応した第１接続態様と、前記単独レーンに対応した第２接続態様とに設定変更可能であることを特徴とする。
【０００７】
かかる構成による麺流し器の作用・効果を説明する。この麺流し器は、複数レーンと単独レーンに設定変更可能である。ポンプにより水案内部を介してレーンの上方に水を導くことができる。この水案内部は、複数レーンと単独レーンの場合とで接続態様を設定変更可能である。複数レーンを設定する場合は、例えば、麺を流す速さを家族や友人間で競争することができる。また、単独レーンを設定する場合は複数人でも１人でも楽しむことができ、楽しみ方が多様になる。これにより、１人で楽しむだけでなく、多くの人が楽しむことができる麺流し器を提供することができる。
【０００８】
本考案において、前記ポンプにより吸い上げた水を導出する第１導出部と第２導出部とを備え、
前記第１接続態様では、第１導出部と第２導出部からそれぞれ個別に前記レーンの上方へ水を導く水案内部が前記レーンの数だけ設けられ、
前記第２接続態様では、第１導出部と第２導出部の水路を連結して１つの導出部にする水路アダプターと、この水路アダプターに接続される１つの水案内部により前記レーンの上方へ水を導くように構成したことが好ましい。
【０００９】
かかる構成によれば、複数レーンを設定する場合は、そのレーンの数に対応して水案内部を接続することができ、単独レーンの場合は、水路アダプターにより１つの水案内部とすることができるので、簡単にレーンの設定変更を行うことができる。
【００１０】
本考案に係る前記レーンは、複数のレーン部材により構成され、前記レーン部材同士を連結するための第1レーンアダプタを備えており、レーン部材どうしが相対的に可動に構成したことが好ましい。
【００１１】
かかる構成により、レーンを設置する自由度を高めることができる。
【００１２】
本考案において、前記第１レーンアダプタにより、相対的に水平面内、及び／又は、垂直面内で回動可能に構成したことが好ましい。
【００１３】
これによりレーン部材の接続をスムーズに行うことができ、レーン部材どうしの接続位置や接続角度などの自由度を高めることができる。
【００１４】
本考案に係る前記第１レーンアダプタは、前記レーンに対して着脱自在であることが好ましい。
【００１５】
これにより、第１レーンアダプタを取り付ける位置を自由に設定することができ、レーン部材の接続態様を種々変更することができる。
【００１６】
本考案において、前記レーンを支える柱部を備え、この柱部は着脱自在な複数の柱部材により構成され、連結する柱部材の個数により、柱部の高さが可変であることが好ましい。
【００１７】
これにより、柱部の高さを複数の柱部材の組み合わせ方により多様に決めることができる。
【００１８】
本考案において、前記レーンを支える柱部を備え、この柱部と前記レーンを連結するための第２レーンアダプタを備えており、前記レーンを前記柱部に対して可動に構成したことが好ましい。
【００１９】
かかる構成により、柱部に対するレーンの接続態様の自由度を高めることができる。
【００２０】
本考案に係る前記第２レーンアダプタは、前記レーン部材及び前記柱部に対して着脱自在であることが好ましい。これにより、レーン部材と柱部材の接続態様の自由度を高めることができる。
【図面の簡単な説明】
【００２１】
【図１】本実施形態に係る麺流し器の外観斜視図
【図２】本実施形態に係る麺流し器の平面図
【図３】本実施形態に係る麺流し器の側面図
【図４】レーン部材どうしを接続したときの断面図
【図５】本体部を構成する部材の分解斜視図
【図６】柱部の構成とレーンとの接続構造を示す上方から見た分解斜視図
【図７】柱部とレーンとの接続構造を示す下方から見た分解斜視図
【図８】柱部とレーンとの接続構造を示す部分拡大図
【図９】単独レーンにした場合の構成を示す外観斜視図
【図１０】単独レーンにした場合の構成を示す平面図
【考案を実施するための形態】
【００２２】
本考案に係る麺流し器の好適な実施形態を図面を用いて説明する。なお、麺の具体例として素麺をあげて説明するが、うどんやそばなどの他の麺類に対しても適用できるものである。図１は、本実施形態に係る麺流し器の外観斜視図である。図２は、麺流し器の平面図である。図３は、麺流し器の側面図である。図４は、レーン部材どうしを接続したときの断面図を示す。なお、説明の便宜上、図４では２つのレーン部材のみを図示する。図５は、本体部を構成する部材の分解斜視図である。
【００２３】
＜麺流し器の基本構成＞
麺流し器は、本体部１と、本体部１に対して連結される第１レーン２Ａと第２レーン２Ｂを備えている。第１レーン２Ａと第２レーン２Ｂは、それぞれ３つのレーン部材２０により構成されている。レーン部材２０どうしは後述の第１レーンアダプタ４により連結される。図１では、３つのレーン部材２０が連結されているが、連結する個数は適宜設定変更することができる。また、第１レーン２Ａと第２レーン２Ｂとで接続するレーン部材２０の個数を変えることもできる。
【００２４】
図５に示すように、本体部１は、本体容器１０（水収容部に相当）と、仕切り部材１１と、素麺受け１２（麺受け部に相当）と、駆動機構収容部１３と、上部カバー１４とを備えている。
【００２５】
本体容器１０は、箱型形状を呈しており、その内部に水を収容することができる。本体容器１０の内壁面には所定高さのリブ１０ａが一体形成されており、この上に素麺受け１２を載置することで、所定の位置に素麺受け１２を安定した状態で置くことができる。
【００２６】
本体容器１０の内壁面には、リブ１０ａよりも高さの低い別のリブ１０ｂが一体形成されており、ここに仕切り部材１１の溝部１１ｂをはめ込むことで載置することができる。本体容器１０の上端１０ｃには、第３レーンアダプタ６を着脱自在にはめ込むことができる。図５は、はめ込んだ状態を示す。第３レーンアダプタ６は、はめ込む位置を適宜変えることができる。
【００２７】
仕切り部材１１は細長い形状を有しており、本体容器１０の中に仕切られた空間を形成し、その中に氷を入れることができる。これにより、冷水を循環させることができる。仕切り部材１１には、縦方向のスリット１１ａが形成されている。不図示のポンプを駆動することで、本体容器１０に収容された水を第１スリット１１ａを介して移動させてポンプにより水を循環させることができる。
【００２８】
素麺受け１２は、第１レーン２Ａや第２レーン２Ｂから流れ落ちてくる素麺を受けることができる。素麺受け１２は、素麺を受けやすいように凹部１２ａを有しており、凹部１２ａは多数のスリットが形成されている。素麺に付着した水分の一部は、スリットを介して、本体容器１０の内部に落下する。素麺受け１２の一辺に半円状の切欠１２ｂが設けられており、ここを指で操作することで、素麺受け１２を取り外ししやすくしている。
【００２９】
駆動機構収容部１３には、不図示のポンプと駆動回路が収容されている。ポンプにより吸い上げられた水は、第１ホース接続部１３ａ（第１導出部に相当）と第２ホース接続部１３ｂ（第２導出部に相当）から導出される。これら接続部１３ａ，１３ｂは、本体容器１０から突出するように設けられている。これにより、後述のホース７を接続しやすくしている。
【００３０】
接続部１３ａ，１３ｂに隣接して電池蓋１３ｃが設けられている。電池蓋１３ｃは開閉自在であり、内部に電池を収容することができる。操作ボタン１３ｄが設けられており、これを操作することでポンプの駆動を開始して水を接続部１３ａ，１３ｂから導出することができる。
【００３１】
上部カバー１４は、駆動機構収容部１３の上に着脱自在に被せられる。電池を交換するときは、上部カバー１４を取り外せばよい。上部カバー１４には、薬味入れ１４ａが２カ所設けられており、利便性を高めている。ここにショウガやネギなどを入れることができる。また、操作ボタン１３ｄを押すための穴部１４ｂが形成されている。
【００３２】
レーン部材２は、樋の形状を有しており、上部から下部へと水を自然落下させることができる。レーン部材２０は、先端部２０、中間部２１、後端部２２により構成される。複数連結されるレーン部材２０のうち、一番最後尾に連結されるレーン部材２０の後端部２２に素麺が置かれる。素麺を置きやすくするスペースを確保するために、後端部２２の形状は平面視で円形状に膨らんでいる（図２参照）。最後尾のレーン部材２０にはホース接続部２３が設けられる。図１に示すように、ホース接続部２３を介して案内されていた水は、後端部２２の内壁面に形成された穴２４から送出される。
【００３３】
中間部２１は、幅はほぼ同一になるように長手方向に延びているが、先端部２０は、先細りの形状であり、下流に連結されるレーン部材２が素麺を受け取りやすいようにしている。また、素麺がレーン部材２から脱落しないようにしている。
【００３４】
柱部３は、図６に示すように第１柱部材３０と第２柱部材３１により構成されている。これら柱部材３０，３１は着脱自在である。第１柱部材３０は、柱部３の一番下に設置される。第１柱部材３０は、３本の脚部３０ｄを有しており、安定した状態でレーン部材２を支えることができる。第１柱部材３０は、円柱部３０ａと連結部３０ｂを備えている。円柱部３０ａは、上部に行くほど小径の円錐台状に形成されている。連結部３０ｂは、円柱部３０ａよりも小径の突出部として形成される。
【００３５】
第２柱部材３１は、円柱部３１ａと連結部３１ｂが一体形成されている。第２柱部材３１は、円柱部３１ａの長さが異なるものが複数用意されている。連結部３１ｂの大きさは、第１柱部材３０の連結部３０ｂと同じである。円柱部３１の下端部を連結部３０ｂや連結部３１ｂに着脱自在に挿入することができる。柱部材３０，３１どうしは軽い圧入により連結することができる。
【００３６】
柱部３として、連結する第２柱部材３１の個数を調整することで、柱部３の高さを調整及び変更することができる。なお、図４に示すように、柱部３としては第１柱部材３０のみで構成することもできる。
【００３７】
図６の例では、２つの第２柱部材３１は円柱部３１ａの長さが異なるので、２つ連結する場合の他、いずれの第２柱部材３１を使用するかによって柱部３の高さを変えることができる。
【００３８】
＜第１レーンアダプタ＞
図６には、レーン２同士を連結する第１レーンアダプタ４と、レーン２と柱部３を連結するための第２レーンアダプタ５が示されている。図６は、第１レーンアダプタ４を上方から見た斜視図として示されている。図７には、下方から見た斜視図として示されている。第１レーンアダプタ４は、第１係合部４０と第２係合部４１が一体形成された部材である。
【００３９】
第１係合部４０は、下方が開放された溝部として形成される。この溝部がレーン２の後端部２２の上端の縁部２２ａに係合する。縁部２２ａは円弧状であり、溝部も円弧状である。縁部２２ａであれば第１レーンアダプタ４を取り付ける位置は自由に選択できるので、レーン全体の形状をユーザーが自由に設定することができる。
【００４０】
第２係合部４１は、球面凹部を有している。図７に示すように、レーン２の先端部２０の裏面には球体部２５が設けられており、この球体部２５が第２係合部４１に係合する。これにより、第１レーンアダプタ４に連結されたレーン部材２は、相対的に自由に動くことができる。具体的には、水平面内、垂直面内、その他の傾斜面内を可動である。
【００４１】
例えば、図４には、連結されたレーン２が傾斜しているが、この傾斜角度αを自由に設定することができる。すなわち、柱部３の高さを決める自由度を高めることができる。また、レーン２同士を連結する場合の平面視における角度θ（図２参照）も自由に設定することができる。従って、麺の落下速度などを考えて、レーン部材２同士の連結態様を決めることができる。
【００４２】
図６には、柱部３とレーン部材２を連結する第２レーンアダプタ５が上方から見た斜視図として示されている。図７には、下方から見た斜視図として示されている。図６などに示すように、第２レーンアダプタ５は、正面視でＴ字状に形成されている。第２レーンアダプタ５は、垂直方向の円柱部５０と、水平方向の軸部５１が一体形成されている。
【００４３】
＜第２レーンアダプタ＞
第２レーンアダプタ５は、第１柱部材３０あるいは第２柱部材３１に着脱自在に結合することができる。第２柱部材３１の連結部３１ｂの中にアダプタ結合穴３１ｃが形成されており、ここに円柱部５０を挿入することで、第２柱部材３１に第２レーンアダプタ５を取り付けることができる。また、第１柱部材３０の連結部３０ｂの中にもアダプタ結合穴３１ｃが形成されており、ここに円柱部５０を挿入することで、第１柱部材３０に第２レーンアダプタ５を取り付けることができる。
【００４４】
図７に示すように、レーン部材２の後端部２２の裏面に軸受部２６が一体形成されている。この軸受部２６には、一対のＵ字部２７が形成されており、ここに軸部５１を嵌合させることで第２レーンアダプタ５とレーン部材２を連結させることができる。軸部５１の両端には大径部５２が形成されており、軸部５１に対してレーン部材２が水平方向に不用意に移動することを防止している。
【００４５】
かかる構成により、レーン部材２は軸部５１の軸芯周りに回動可能に取り付けられる。柱部３に第２レーンアダプタ５を取り付けるとき、水平面内で自由に取り付けることが可能であるので、第２レーンアダプタ５の取り付けの自由度を高めることができる。従って、柱部３に対するレーン部材２の取り付けの自由度を高めることができる。
【００４６】
＜第３レーンアダプタ＞
次に、レーン部材２と本体部１を連結する第３レーンアダプタ６を説明する。図１に示すように、第３レーンアダプタ６は、第１係合部６０と第２係合部６１が一体形成されている。なお、係合部の構成は第１レーンアダプタ４とほぼ同じであり，第１係合部６０には溝部が形成されている。ただし、第１レーンアダプタ４とは異なり、溝部は円弧状ではなく直線状に形成されている。第２係合部６１の形状は、第１レーンアダプタ４の第２係合部４１と同じである。かかる構成により、本体部の本体容器１０に対するレーン部材２の連結角度β（図２参照）を自由に設定することができる。
【００４７】
＜ホースの接続＞
次に、ホース７（水案内部に相当）の接続について説明する。図２のように、第１レーン２Ａと第２レーン２Ｂを設ける場合は、第１ホース接続部１３ａと第１レーン２Ａの最後尾にあるレーン部材２のホース接続部２３とをホース７で接続し、第２ホース接続部１３ｂと第２レーン２Ｂの最後尾にあるホース接続部２３とをホース７で接続する。ホース７は、例えば、柔軟性のある樹脂製の素材で形成することができる。なお、ホース７を多数用意しておき、複数のホース７を連結してホース全体の長さを長くできるようにしてもよい。ホース７同士の連結にはアダプタ８０（図９参照）を用いることができる。
【００４８】
＜単独レーンの構成＞
次に、単独レーンにおける構成を説明する。これまでは、第１レーン２Ａと第２レーン２Ｂの２つのレーンを設ける構成を説明したが、レーンを１つにすることができる。図９は、単独レーンにした場合の構成を示す外観斜視図である。図１０は、同じく平面図である。レーン部材２の連結個数はユーザーにおいて適宜決めることができる。
【００４９】
図１０に示すように、長さの短いホース７０及び水路アダプタ８（水案内部に相当）を介して、第１・第２ホース接続部１３ａ、１３ｂとホース７を接続するようにしている。これにより、単独レーンに変更しても水をレーンに送出できるようにしている。水路アダプタ８は、Ｙ字形を呈しており、２つの水路を１つに変換する機能を有する。水路アダプタ８は、樹脂製で形成されるが金属製でもよい。ホース７の長さについても、図９に示すように、複数のホース７を、アダプタ８０を用いて連結して長くしてもよい。水路アダプタ８の形状は、本実施形態の形状に限定されるものではなく、例えば、Ｕ字状に形成してもよい。
【００５０】
＜使用方法＞
次に、本考案に係る麺流し器の使用方法を説明する。本体容器１０の内部に水を収容する。仕切り部材１１の横に氷を適宜の個数入れる。第１レーン２Ａと第２レーン２Ｂをそれぞれ組み立てる。図１に図示するように、それぞれの第１・第２レーン２Ａ・２Ｂに対してホース７を接続する。操作ボタン１３ｄを押してポンプを駆動する。これにより、本体容器１０内の水は、第１・第２ホース接続部１３ａ，１３ｂから導出され、それぞれのレーン２Ａ・２Ｂに送られる。水は、連結されたレーン２Ａ・２Ｂの上部から下部に落下して本体容器１０に戻る。このようにして、水は循環される。
【００５１】
水が循環された状態で、素麺を最後尾のレーン部材２の後端部２２に載置する。素麺は水と共にレーン２Ａ・２Ｂに沿って落下し、素麺受け１２へと移動する。素麺受け１２へ移動した素麺を適宜食すればよい。このとき、複数のレーン部材２の組み立て方により素麺の落下速度が変わる。いずれのレーン２Ａ・２Ｂの方が速く落下するかを楽しむことができる。
【００５２】
単独レーンの場合も使用方法は基本的に同じであるので、説明を省略する。
【００５３】
以上の通り、本考案においては、連結するレーン部材２の個数やレーン部材２の設定高さ、レーン部材２同士の連結角度などの自由度が高いため、レーンは無限の組み合わせが可能である。従って、複数のレーン部材をいかに組み立てることで素麺を速く落下させることができるかなど、競争心を高めながら流しそうめんを楽しむことができる。
【００５４】
＜別実施形態＞
本実施形態では、複数レーンとして２つのレーンを構成しているが、３つ以上のレーンを設定できるようにしてもよい。この場合は、ホース接続部を設定可能なレーンの個数だけ設けることが好ましい。そのための水路アダプタも適宜準備しておく。
【符号の説明】
【００５５】
１        本体部
１０      本体容器（水収容部）
１１      仕切り部材
１２      素麺受け（麺受け部）
１３      駆動機構収容部
１３ａ    第１ホース接続部（第１導出部）
１３ｂ    第２ホース接続部（第２導出部）
１４      上部カバー
２Ａ      第１レーン
２Ｂ      第２レーン
２      レーン部材
３        柱部
３０      第１柱部材
３１      第２柱部材
４        第１レーンアダプタ
５        第２レーンアダプタ
６        第３レーンアダプタ
７，７０        ホース（水案内部）
８        水路アダプタ（水案内部）
８０      アダプタ（水案内部）
【図１】
0003231881.tif 000003
【図２】
0003231881.tif 000004
【図３】
0003231881.tif 000005
【図４】
0003231881.tif 000006
【図５】
0003231881.tif 000007
【図６】
0003231881.tif 000008
【図７】
0003231881.tif 000009
【図８】
0003231881.tif 000010
【図９】
0003231881.tif 000011
【図１０】
0003231881.tif 000012
【手続補正書】
【提出日】令和3年3月4日(2021.3.4)
【手続補正１】
【補正対象書類名】実用新案登録請求の範囲
【補正対象項目名】全文
【補正方法】変更
【補正の内容】
【実用新案登録請求の範囲】
【請求項１】
レーンから落下してくる麺を受け入れる麺受け部と、水を収容する水収容部と、水を循環させるためのポンプと、を備えた麺流し器であって、
上方から下方へと水と共に麺を落下させる前記レーンを複数レーン又は単独レーンに設定することができ、
前記ポンプにより水を前記レーンの上方へ導く水案内部を備え、
前記水案内部は、前記複数レーンに対応した第１接続態様と、前記単独レーンに対応した第２接続態様とに設定変更可能であり、
前記ポンプにより吸い上げた水を導出する第１導出部と第２導出部とを備え、
前記第１接続態様では、第１導出部と第２導出部からそれぞれ個別に前記レーンの上方へ水を導く水案内部が前記レーンの数だけ設けられ、
前記第２接続態様では、第１導出部と第２導出部の水路を連結して１つの導出部にする水路アダプターと、この水路アダプターに接続される１つの水案内部により前記レーンの上方へ水を導くように構成したことを特徴とする麺流し器。
【請求項２】
前記レーンは、複数のレーン部材により構成され、前記レーン部材同士を連結するための第１レーンアダプタを備えており、レーン部材どうしが相対的に可動に構成したことを特徴とする請求項１に記載の麺流し器。
【請求項３】
前記第１レーンアダプタにより、相対的に水平面内、及び／又は、垂直面内で回動可能に構成したことを特徴とする請求項２に記載の麺流し器。
【請求項４】
前記第１レーンアダプタは、前記レーンに対して着脱自在であることを特徴とする請求項２又は３に記載の麺流し器。
【請求項５】
前記レーンを支える柱部を備え、この柱部は着脱自在な複数の柱部材により構成され、連結する柱部材の個数により、柱部の高さが可変であることを特徴とする請求項１〜４のいずれか１項に記載の麺流し器。
【請求項６】
前記レーンを支える柱部を備え、この柱部と前記レーンを連結するための第２レーンアダプタを備えており、前記レーンを前記柱部に対して可動に構成したことを特徴とする請求項１〜４のいずれか１項に記載の麺流し器。
【請求項７】
前記第２レーンアダプタは、前記レーン及び前記柱部に対して着脱自在であることを特徴とする請求項６に記載の麺流し器。